(57)【要約】【課題】  筐体パネルの取付口に対して着脱自在に嵌装される可撓性の運搬用取手の振動を防止した空気調和機の室外機を提供すること。【解決手段】  フロントパネル・リアパネルの取付口７の上縁に向かって下縁から突出させた係止片７Ａを備える。この点、フロントパネル・リアパネルの取付口７の下縁の係止片７Ａは、フロントパネル・リアパネルの取付口７に運搬用取手６が嵌装される際に運搬用取手６の下部係合爪６Ｂとは衝突しない箇所に配置される。また、フロントパネル・リアパネルの取付口７の上縁から下縁の係止片７Ａまでの最短寸法は、運搬用取手６の上部から下部までの最短寸法に等しい。【選択図】  図１
2005114245.tif 000002
【特許請求の範囲】
【請求項１】
取付口が設けられた筐体パネルと、前記筐体パネルの取付口に対して着脱自在に嵌装される可撓性の運搬用取手と、前記運搬用取手の開口部の周辺に形成された突縁部と、前記運搬用取手の上部に形成された上部係合爪と、前記運搬用取手の下部に形成された下部係合爪と、を有し、前記筐体パネルの取付口に前記運搬用取手が嵌装された際には、前記運搬用取手の突縁部と上部係合爪の間に前記筐体パネルの取付口の上縁が係入する一方で、前記運搬用取手の突縁部と下部係合爪の間に前記筐体パネルの取付口の下縁が係入するとともに、前記筐体パネルの取付口の下縁が前記運搬用取手の下部に当接する空気調和機の室外機において、
前記筐体パネルの取付口の上縁に向かって下縁から突出させた係止片を備え、
前記筐体パネルの取付口の下縁の係止片は、前記筐体パネルの取付口に前記運搬用取手が嵌装される際に前記運搬用取手の下部係合爪とは衝突しない箇所に配置されるとともに、前記筐体パネルの取付口の上縁から下縁の係止片までの最短寸法が前記運搬用取手の上部から下部までの最短寸法に略等しいこと、を特徴とする空気調和機の室外機。
【発明の詳細な説明】
【技術分野】
【０００１】
本発明は、筐体パネルの取付口に対して着脱自在に嵌装される可撓性の運搬用取手を有した空気調和機（プレハブ冷蔵庫を含む）の室外機に関するものである。
【背景技術】
【０００２】
従来、大量の野菜や果実その他肉や魚等の生鮮食品を、長期にわたり冷蔵庫や冷凍庫等として、例えば、貯蔵庫本体をプレハブ式の建造物で構成した業務用の冷蔵庫が知られている。この種の大型冷蔵庫では、庫内に配設した冷却ユニットを稼働させるための熱交換ユニットを、貯蔵庫本体の外部に配置している。また、冷房・暖房運転を行う空気調和機においても、室内の冷暖房ユニットに接続する熱交換ユニットを室外機に備えるようになっている。この点、本発明は、プレハブ式冷蔵庫の熱交換ユニット及び空気調和機の熱交換ユニットに関するものであるが、説明の便宜上、それらの熱交換ユニットを空気調和機の室外機と記載する。
【０００３】
従来の空気調和機の室外機には、筐体パネルの取付口に対して着脱自在に嵌装される可撓性の運搬用取手を有したものがあり、輸送・運搬時には、運搬用取手に手を掛けて、空気調和機の室外機を持ち上げることにより、空気調和機の室外機を適切な位置に移動させることができる（例えば、特許文献１参照）。
【特許文献１】実開平５−８３６３４号公報
【０００４】
そこで、ここでは、筐体パネルの取付口に対して着脱自在に嵌装される可撓性の運搬用取手を有した空気調和機の室外機（以下、単に「空気調和機の室外機」という）の一例について説明する。図５は、空気調和機の室外機１の分解斜視図である。図５に示すように、空気調和機の室外機１は、ユニット本体２に対して、フロントパネル３及びリアパネル４が組み付けられ、さらに、フロントパネル３及びリアパネル４に対して、アッパーパネル５が組み付けられる。さらに、フロントパネル３及びリアパネル４の側面においては、樹脂等で製造されることにより或る程度の弾力性と硬度を有した運搬用取手６がそれぞれ嵌め込まれる。
【０００５】
この点、運搬用取手６は、図６（ａ），（ｂ）に示すようにして、嵌め込まれている。図６は、空気調和機の室外機１において運搬用取手６を嵌装する方法を示した図である。すなわち、図６（ａ）に示すように、フロントパネル３の側面には取付口７が設けられており、この取付口７に対して、図６（ｂ）に示すように、運搬用取手６が嵌め込まれる。尚、図６には示されていないが、リアパネル４の側面においても、同様にして、運搬用取手６が嵌め込まれる。
【０００６】
そして、運搬用取手６は、取付口７から自然に抜け落ちないようにするために、図７に示す構造になっている。図７（ａ）は運搬用取手６の上部斜視図であり、図７（ｂ）は運搬用取手６の下部斜視図であり、図７（ｃ）は運搬用取手６の側面図である。すなわち、運搬用取手６の上部には、図７（ａ），（ｃ）に示すように、３個の上部係合爪６Ａが形成されている。また、運搬用取手６の下部には、図７（ｂ），（ｃ）に示すように、３個の下部係合爪６Ｂが形成されている。また、手が掛かる運搬用取手６の開口部６Ｃの周辺には、図７（ａ），（ｂ），（ｃ）に示すように、突縁部６Ｄが形成されている。従って、図７（ｃ）に示すように、上部係合爪６Ａ・下部係合爪６Ｂと突縁部６Ｄの間に隙間αが形成される。
【０００７】
このとき、図８に示すように、取付口７の上縁から下縁までの最短寸法をＢとし、図７（ｃ）に示すように、運搬用取手６の上部係合爪６Ａの下端から下部係合爪６Ｂの下端までの最短寸法（図９の運搬用取手６の上部係合爪６Ａの上端から下部係合爪６Ｂの上端までの最短寸法も同じ。）をＡとすると、運搬用取手６の寸法Ａは取付口７の寸法Ｂよりも若干大きく形成されている。
【０００８】
従って、運搬用取手６を取付口７に嵌め込むには、運搬用取手６を取付口７に対して少し力を入れて押し込む必要があり、このとき、或る程度の弾力性を有する運搬用取手６は縮み、運搬用取手６の寸法Ａが取付口７の寸法Ｂと等しくなった時点で、運搬用取手６が取付口７に嵌め込まれる。そして、運搬用取手６が取付口７に嵌め込まれた後は、或る程度の弾力性を有する運搬用取手６は伸び、運搬用取手６の寸法Ａが取付口７の寸法Ｂより若干大きい状態に戻って、図９に示すように、上部係合爪６Ａ・下部係合爪６Ｂと突縁部６Ｄの間に形成された隙間αに取付口７の上縁・下縁が入り込み、取付口７への運搬用取手６の嵌め込みが完了する。このとき、図９に示すように、運搬用取手６の寸法Ａは取付口７の寸法Ｂより若干大きい状態にあるため、運搬用取手６が取付口７から自然に抜け落ちることがない。
【発明の開示】
【発明が解決しようとする課題】
【０００９】
しかしながら、運搬用取手６が取付口７に嵌め込まれた状態では、図９に示すように、運搬用取手６の下部係合爪６Ｂと突縁部６Ｄの間に形成された隙間αにおいて、運搬用取手６の下部が取付口７の下縁に当接することから、運搬用取手６の上部係合爪６Ａと突縁部６Ｄの間に形成された隙間αにおいて、運搬用取手６の上部と取付口７の上縁の間に隙間βが生じていた。そして、この隙間βは、空気調和機の室外機１が運転中に、運搬用取手６が振動する要因になっていた。
【００１０】
もっとも、この隙間βを無くすためには、取付口７の寸法Ｂを小さくすればよいが、この場合、運搬用取手６を取付口７に対して力を入れて押し込んでも、運搬用取手６が縮みきれず、運搬用取手６を取付口７に嵌め込めなくなり、さらに、その対策として、運搬用取手６の寸法Ａを小さくすると、運搬用取手６の成形時の反りが大きいときには、上部係合爪６Ａ・下部係合爪６Ｂの係合代が小さくなって、運搬用取手６が取付口７から自然に抜け落ちるおそれが生じる。
【００１１】
従って、運搬用取手６の寸法Ａや取付口７の寸法Ｂを単に小さくすることによって、運搬用取手６の振動の要因である隙間βを無くすようにすると、運搬用取手６を取付口７に嵌め込めなくなったり、運搬用取手６が取付口７から自然に抜け落ちることがあるので、別の手段によって、運搬用取手６の振動を無くすことが求められていた。
【００１２】
そこで、本発明は、上述した点を鑑みてなされたものであり、筐体パネルの取付口に対して着脱自在に嵌装される可撓性の運搬用取手の振動を防止した空気調和機の室外機を提供することを課題とする。
【課題を解決するための手段】
【００１３】
この課題を解決するために成された請求項１に係る発明は、取付口が設けられた筐体パネルと、前記筐体パネルの取付口に対して着脱自在に嵌装される可撓性の運搬用取手と、前記運搬用取手の開口部の周辺に形成された突縁部と、前記運搬用取手の上部に形成された上部係合爪と、前記運搬用取手の下部に形成された下部係合爪と、を有し、前記筐体パネルの取付口に前記運搬用取手が嵌装された際には、前記運搬用取手の突縁部と上部係合爪の間に前記筐体パネルの取付口の上縁が係入する一方で、前記運搬用取手の突縁部と下部係合爪の間に前記筐体パネルの取付口の下縁が係入するとともに、前記筐体パネルの取付口の下縁が前記運搬用取手の下部に当接する空気調和機の室外機において、前記筐体パネルの取付口の上縁に向かって下縁から突出させた係止片を備え、前記筐体パネルの取付口の下縁の係止片は、前記筐体パネルの取付口に前記運搬用取手が嵌装される際に前記運搬用取手の下部係合爪とは衝突しない箇所に配置されるとともに、前記筐体パネルの取付口の上縁から下縁の係止片までの最短寸法が前記運搬用取手の上部から下部までの最短寸法に略等しいこと、を特徴としている。
【発明の効果】
【００１４】
すなわち、本発明の空気調和機の室外機では、筐体パネルの取付口の下縁の係止片は、筐体パネルの取付口に運搬用取手が嵌装される際に運搬用取手の下部係合爪とは衝突しない箇所に配置されるとともに、筐体パネルの取付口の上縁から下縁の係止片までの最短寸法が運搬用取手の上部から下部までの最短寸法に等しいことから、筐体パネルの取付口に運搬用取手を嵌装することができ、このとき、運搬用取手の突縁部と上部係合爪の間に筐体パネルの取付口の上縁が係入し、運搬用取手の突縁部と下部係合爪の間に筐体パネルの取付口の下縁が係入すると、筐体パネルの取付口の上縁から下縁の係止片までの最短寸法が運搬用取手の上部から下部までの最短寸法に略等しいことから、筐体パネルの取付口に運搬用取手が挟持されるので、筐体パネルの取付口に対して着脱自在に嵌装される可撓性の運搬用取手の振動を防止することができる。
【発明を実施するための最良の形態】
【００１５】
以下、本発明の実施の形態を図面を参照にして説明する。本実施の形態の空気調和機の室外機は、背景技術の欄で既に説明した空気調和機の室外機１を改良したものであるので、同一の構成については同一の符号を付して説明を省略し、ここでは、異なる構成について詳しく説明する。
【００１６】
本実施の形態の空気調和機の室外機１では、図２に示すように、取付口７の下縁に２個の係止片７Ａを突設させている。この点、図２に示すように、取付口７の上縁から下縁の係止片７Ａまでの最短寸法をＤとし、図３に示すように、運搬用取手６の上部から下部までの最短寸法をＣとすると、取付口７の寸法Ｄは運搬用取手６の寸法Ｃと等しくなっている。尚、厳密に言えば、成形時の寸法公差分だけ、取付口７の寸法Ｄは運搬用取手６の寸法Ｃよりも大きい。また、図２に示すように、取付口７の下縁の２個の係止片７Ａの間隔における最短寸法をＥとし、図４に示すように、運搬用取手６の３個の下部係合爪６Ｂのうち中央のものの幅の最短寸法をＦとすると、取付口７の寸法Ｅは運搬用取手６の寸法Ｆより若干大きくなっている。また、図２に示すように、取付口７の下縁の各係止片７Ａの幅における最短寸法をＧとし、図４に示すように、運搬用取手６の３個の下部係合爪６Ｂの間隔における最短寸法をＨとすると、取付口７の寸法Ｇは運搬用取手６の寸法Ｈより若干小さくなっている。さらに、取付口７の下縁の係止片７Ａは、運搬用取手６を取付口７に嵌め込む際に、運搬用取手６の３個の下部係合爪６Ｂの間隔に対向するように配置される。
【００１７】
そして、運搬用取手６を取付口７に嵌め込むには、上部係合爪６Ａと突縁部６Ｄの間に形成された隙間αに取付口７の上縁を入れ込んだ後に、運搬用取手６を取付口７に対して少し力を入れて押し込んで、下部係合爪６Ｂと突縁部６Ｄの間に形成された隙間αに取付口７の下縁を入れ込む。このとき、運搬用取手６の３個の下部係合爪６Ｂの間隔において、取付口７の下縁の係止片７Ａが通過することから、取付口７の下縁の係止片７Ａが運搬用取手６の３個の下部係合爪６Ｂと衝突・干渉することはない。
【００１８】
このようにして、運搬用取手６を取付口７に嵌め込むと、図１に示すような状態となり、取付口７の下縁の係止片７Ａに運搬用取手６の下部が当接するとともに、取付口７の上縁に運搬用取手６の上部が当接し、運搬用取手６が取付口７に圧接された状態となることから、空気調和機の室外機１が運転中に、運搬用取手６が振動することはない。但し、このような状態でも、取付口７の下縁と運搬用取手６の下部の間には、取付口７の下縁の係止片７Ａを除いて、隙間αが生じている。
【００１９】
尚、取付口７の下縁ではなく、取付口７の上縁に２個の係止片７Ａを突設させた場合には、上部係合爪６Ａと突縁部６Ｄの間に形成された隙間αに取付口７の上縁を入れ込んだ後に、運搬用取手６を取付口７に対して少し力を入れて押し込んで、下部係合爪６Ｂと突縁部６Ｄの間に形成された隙間αに取付口７の下縁を入れ込むと、このとき、取付口７の上縁に突設させた係止片７Ａの突端を中心にして運搬用取手６が回転することになり、取付口７の寸法Ｄに対して、寸法Ａ（図７（ｃ）参照）の運搬用取手６を嵌め込むことになるので、運搬用取手６を取付口７に嵌め込むことが困難となる。
【００２０】
以上詳細に説明したように、本実施の形態の空気調和機の室外機１では、取付口７が設けられたフロントパネル３・リアパネル４と、フロントパネル３・リアパネル４の取付口７に対して着脱自在に嵌装される可撓性の運搬用取手６と、運搬用取手６の開口部６Ｃの周辺に形成された突縁部６Ｄと、運搬用取手６の上部に形成された上部係合爪６Ａと、運搬用取手６の下部に形成された下部係合爪６Ｂと、を有し、フロントパネル３・リアパネル４の取付口７に運搬用取手６が嵌装された際には、運搬用取手６の突縁部６Ｄと上部係合爪６Ａの間にフロントパネル３・リアパネル４の取付口７の上縁が係入する一方で、運搬用取手６の突縁部６Ｄと下部係合爪６Ｂの間にフロントパネル３・リアパネル４の取付口７の下縁が係入するとともに、フロントパネル３・リアパネル４の取付口７の下縁が運搬用取手６の下部に当接する。
【００２１】
さらに、本実施の形態の空気調和機の室外機１では、フロントパネル３・リアパネル４の取付口７の上縁に向かって下縁から突出させた係止片７Ａを備えており、フロントパネル３・リアパネル４の取付口７の下縁の係止片７Ａは、フロントパネル３・リアパネル４の取付口７に運搬用取手６が嵌装される際に運搬用取手６の下部係合爪６Ｂとは衝突しない箇所に配置されるとともに、フロントパネル３・リアパネル４の取付口７の上縁から下縁の係止片７Ａまでの最短寸法Ｄが運搬用取手６の上部から下部までの最短寸法Ｃに等しくなっている。
【００２２】
すなわち、本実施の形態の空気調和機の室外機１では、フロントパネル３・リアパネル４の取付口７の下縁の係止片７Ａは、フロントパネル３・リアパネル４の取付口７に運搬用取手６が嵌装される際に運搬用取手６の下部係合爪６Ｂとは衝突しない箇所に配置されるとともに、フロントパネル３・リアパネル４の取付口７の上縁から下縁の係止片７Ａまでの最短寸法Ｄが運搬用取手６の上部から下部までの最短寸法Ｃに等しくなっていることから、フロントパネル３・リアパネル４の取付口７に運搬用取手６を嵌装することができ、このとき、運搬用取手６の突縁部６Ｄと上部係合爪６Ａの間にフロントパネル３・リアパネル４の取付口７の上縁が係入し、運搬用取手６の突縁部６Ｄと下部係合爪６Ｂの間にフロントパネル３・リアパネル４の取付口７の下縁が係入すると、フロントパネル３・リアパネル４の取付口７の上縁から下縁の係止片７Ａまでの最短寸法Ｄが運搬用取手６の上部から下部までの最短寸法Ｃに等しいことから、フロントパネル３・リアパネル４の取付口７の上縁が運搬用取手６の上部に当接するとともにフロントパネル３・リアパネル４の取付口７の下縁の係止片７Ａが運搬用取手６の下部に当接し、フロントパネル３・リアパネル４の取付口７に運搬用取手６が挟持されるので、フロントパネル３・リアパネル４の取付口７に対して着脱自在に嵌装される可撓性の運搬用取手６の振動を防止することができる。
もっとも、本実施の形態の空気調和機の室外機１において、寸法公差の関係を厳密に評価すれば、フロントパネル３・リアパネル４の取付口７の上縁から下縁の係止片７Ａまでの最短寸法Ｄは運搬用取手６の上部から下部までの最短寸法Ｃよりも僅かに大きいので、フロントパネル３・リアパネル４の取付口７の上縁と運搬用取手６の上部との間に若干の隙間が生じた状態で、フロントパネル３・リアパネル４の取付口７に運搬用取手６が挟持されていると言える。よって、フロントパネル３・リアパネル４の取付口７の上縁が運搬用取手６の上部に当接しなくとも、フロントパネル３・リアパネル４の取付口７に対して着脱自在に嵌装される可撓性の運搬用取手６の振動を防止する効果を得ることは可能である。
【００２３】
従って、本実施の形態の空気調和機の室外機１では、運転中であっても、フロントパネル３・リアパネル４の取付口７に対して着脱自在に嵌装される可撓性の運搬用取手６の振動が無く、ユーザーに不快な振動音も発生せず、さらに、振動音に伴う運搬用取手６の劣化・破壊を抑制することができる。
【００２４】
尚、本発明は上記実施の形態に限定されるものでなく、その趣旨を逸脱しない範囲で様々な変更が可能である。
例えば、本実施の形態の空気調和機の室外機１において、取付口７の下縁の係止片７Ａの数は、運搬用取手６における下部係合爪６Ｂの間隔の数に等しいものであるから、例えば、運搬用取手６における下部係合爪６Ｂの間隔の数が「３」であれば、取付口７の下縁の係止片７Ａの数も「３」となる。また、この場合に、運搬用取手６における下部係合爪６Ｂの両脇を挟み込むように取付口７の下縁の係止片７Ａを取り付けても、同様な効果を得ることができる、
【００２５】
また、取付口７の下縁ではなく、取付口７の上縁に２個の係止片７Ａを突設させた場合には、下部係合爪６Ｂと突縁部６Ｄの間に形成された隙間αに取付口７の下縁を入れ込んだ後に、運搬用取手６を取付口７に対して少し力を入れて押し込んで、上部係合爪６Ａと突縁部６Ｄの間に形成された隙間αに取付口７の上縁を入れ込めば、運搬用取手６を取付口７に嵌め込むことは可能である。
【産業上の利用可能性】
【００２６】
本発明は、筐体パネルの取付口に対して着脱自在に嵌装される可撓性の運搬用取手を有する製品に適用し得る。
【図面の簡単な説明】
【００２７】
【図１】本発明の一実施形態による空気調和機の室外機において、運搬用取手を取付口に嵌め込んだ際の状態を示す図であり、取付口については、図２の一点鎖線Ｉで切断した断面で示したものである。
【図２】本発明の一実施形態による空気調和機の室外機の取付口を示す図である。
【図３】本発明の一実施形態による空気調和機の室外機の運搬用取手の側面図である。
【図４】本発明の一実施形態による空気調和機の室外機の運搬用取手下部を示す斜視図である。
【図５】背景技術の空気調和機の室外機の分解斜視図である。
【図６】背景技術の空気調和機の室外機において運搬用取手を嵌装する方法を示した図である。
【図７】背景技術の空気調和機の室外機の運搬用取手を示す図であり、（ａ）は運搬用取手の上部斜視図、（ｂ）は運搬用取手の下部斜視図、（ｃ）は運搬用取手の側面図である。
【図８】背景技術の空気調和機の室外機の取付口を示す図である。
【図９】背景技術の空気調和機の室外機において、運搬用取手を取付口に嵌め込んだ際の状態を示す図であり、取付口を断面で示したものである。
【符号の説明】
【００２８】
１    空気調和機の室外機
２    ユニット本体
３    フロントパネル
４    リアパネル
５    アッパーパネル
６    運搬用取手
６Ａ  運搬用取手の上部係合爪
６Ｂ  運搬用取手の下部係合爪
６Ｃ  運搬用取手の開口部
６Ｄ  運搬用取手の突縁部
７    取付口
７Ａ  取付口の下縁の係止片
Ａ    運搬用取手の上部係合爪の最下端から下部係合爪の最下端までの最短寸法
Ｂ    取付口の上縁から下縁までの最短寸法
Ｃ    運搬用取手の上部から下部までの最短寸法
Ｄ    取付口の上縁から下縁の係止片までの最短寸法
Ｅ    取付口の下縁の２個の係止片の間隔における最短寸法
Ｆ    運搬用取手の３個の下部係合爪のうち中央のものの幅の最短寸法
Ｇ    取付口の下縁の各係止片の幅における最短寸法
Ｈ    運搬用取手の３個の下部係合爪の間隔における最短寸法
α    運搬用取手の上部係合爪・下部係合爪と突縁部の間に形成された隙間
β    運搬用取手の上部と取付口の上縁の間に生じた隙間
【図１】
2005114245.tif 000003
【図２】
2005114245.tif 000004
【図３】
2005114245.tif 000005
【図４】
2005114245.tif 000006
【図５】
2005114245.tif 000007
【図６】
2005114245.tif 000008
【図７】
2005114245.tif 000009
【図８】
2005114245.tif 000010
【図９】
2005114245.tif 000011